(57)【要約】  本発明は、光透過性および装飾性（美的外観）に優れたソーラー時計用文字板を提供すること、また、十分な光量の外光を太陽電池に供給することができ、かつ、装飾性に優れた時計を提供することを課題とする。ソーラー時計用文字板１は、太陽電池９を備えたソーラー時計に用いられるものであって、光透過性を有する材料で構成された基材１１と、基材１１の、太陽電池９と対向する面側に設けられ、入射した光を偏光させる機能を有する偏光体１３と、入射した光を拡散する機能を有する拡散剤を含む材料で構成され、基材１１と偏光体１３との間に配された拡散層１２とを有することを特徴とする。偏光体１３は、所定方向に振動する第１の光を透過し、かつ、振動方向が前記第１の光の振動方向に対して垂直な第２の光を反射する機能を有するものである。【特許請求の範囲】
【請求項１】
太陽電池を備えたソーラー時計に用いられるソーラー時計用文字板であって、
光透過性を有する材料で構成された基材と、
前記基材の、前記太陽電池と対向する面側に設けられ、入射した光を偏光させる機能を有する偏光体と、
入射した光を拡散する機能を有する拡散剤を含む材料で構成され、前記基材と前記偏光体との間に配された拡散層とを有することを特徴とするソーラー時計用文字板。
【請求項２】
前記偏光体は、所定方向に振動する第１の光を透過し、かつ、振動方向が前記第１の光の振動方向に対して垂直な第２の光を反射する機能を有する反射型偏光体である請求の範囲第１項に記載のソーラー時計用文字板。
【請求項３】
前記偏光体は、複数の層が積層されてなるフィルムである請求の範囲第１項または第２項に記載のソーラー時計用文字板。
【請求項４】
前記偏光体は、主としてポリエチレンナフタレートで構成された層と、主としてナフタレンジカルボン酸とテレフタル酸とのコポリエステルで構成された層とが交互に積層されてなるフィルムである請求の範囲第１項ないし第３項のいずれかに記載のソーラー時計用文字板。
【請求項５】
前記偏光体は、主としてポリエステル系樹脂で構成されたものである請求の範囲第１項ないし第４項のいずれか記載のソーラー時計用文字板。
【請求項６】
前記拡散層は、粘着性、接着性を有する材料で構成されたものである請求の範囲第１項ないし第５項のいずれかに記載のソーラー時計用文字板。
【請求項７】
前記拡散層は、主としてアクリル系粘着剤で構成されたものである請求の範囲第１項ないし第６項のいずれかに記載のソーラー時計用文字板。
【請求項８】
前記基材は、主として、ポリカーボネートおよび／またはアクリロニトリル−ブタジエン−スチレン共重合体で構成されたものである請求の範囲第１項ないし第７項のいずれかに記載のソーラー時計用文字板。
【請求項９】
前記基材が設けられている面側から前記偏光体が設けられている面側への、可視光領域の光の透過率が、２０％以上である請求の範囲第１項ないし第８のいずれかに記載のソーラー時計用文字板。
【請求項１０】
白色の外観を呈する請求の範囲第１項ないし第９項のいずれかに記載のソーラー時計用文字板。
【請求項１１】
ソーラー時計用文字板は、腕時計用文字板である請求の範囲第１項ないし第１０項のいずれかに記載のソーラー時計用文字板。
【請求項１２】
太陽電池と、
光透過性を有する材料で構成された基材と、
前記基材の、前記太陽電池と対向する面側に設けられ、入射した光を偏光させる機能を有する偏光体と、
入射した光を拡散する機能を有する拡散剤を含む材料で構成され、前記基材と前記偏光体との間に配された拡散層とを有することを特徴とする時計。
【請求項１３】
請求の範囲第１項ないし第１１項のいずれかに記載のソーラー時計用文字板を備えたことを特徴とする時計。
【発明の詳細な説明】
【技術分野】
【０００１】
本発明は、ソーラー時計用文字板および時計に関する。
【背景技術】
【０００２】
時計用文字板は、実用品としての機能が求められるとともに、装飾品としての装飾性（美的外観）が求められる。特に、太陽電池を備えたソーラー時計では、文字板（ソーラー時計用文字板）の下に太陽電池（ソーラーセル）が配置される場合に、文字板について、優れた光透過性等とともに、装飾品としての装飾性（美的外観）が求められる。【０００３】
具体的には、ソーラー時計用文字板は、光透過性に関して、時計を駆動するのに十分な量の光を、その下部に配置された太陽電池に透過して供するものである一方、装飾品としての装飾性も求められる。【０００４】
従来、ソーラー時計では、太陽電池に十分な光量の光を入射させるために、太陽電池そのものを文字板として利用したり、太陽電池上に有色の部材（特に濃色の部材）が配されないように文字板の形状を設計し、当該文字板として太陽電池の自色（通常、黒色〜紫色）に類似した色のものが用いられてきた。【０００５】
しかしながら、近年、ソーラー時計においても、時計の仕様等に応じて、様々な色調の文字板を採用することについての強い要望がある。特に、白色等の明色、淡色で、かつ、美的外観（高級感）に優れたソーラー時計用文字板に対する強い要望がある。【０００６】
太陽電池が文字板を介して透けて見えてしまうのを防止することを試みたソーラー時計用文字板としては、セラミックを主構成材料とするもの（例えば、特許文献１参照）があるが、このような文字板は、高価であり、また、落下等による衝撃等が加わると割れやすい等、強度の点でも問題があった。【０００７】
【特許文献１】特開平１０−３９０４８号公報（特許請求の範囲、段落番号００６０参照）
【発明の開示】
【０００８】
本発明の目的は、光透過性および装飾性（美的外観）に優れたソーラー時計用文字板を提供すること、また、十分な光量の外光を太陽電池に供給することができ、かつ、装飾性に優れた時計を提供することにある。
【０００９】
上記目的を達成するために、本発明は、太陽電池を備えたソーラー時計に用いられるソーラー時計用文字板であって、
光透過性を有する材料で構成された基材と、
前記基材の、前記太陽電池と対向する面側に設けられ、入射した光を偏光させる機能を有する偏光体と、
入射した光を拡散する機能を有する拡散剤を含む材料で構成され、前記基材と前記偏光体との間に配された拡散層とを有することを特徴とするソーラー時計用文字板に関する。
【００１０】
これにより、光透過性および装飾性（美的外観）に優れたソーラー時計用文字板を提供することができる。
【００１１】
また、本発明のソーラー時計用文字板では、前記偏光体は、所定方向に振動する第１の光を透過し、かつ、振動方向が前記第１の光の振動方向に対して垂直な第２の光を反射する機能を有する反射型偏光体であることが好ましい。
【００１２】
これにより、ソーラー時計用文字板の光透過性を十分に高いものとしつつ、太陽電池の自色が透けて見えるのを効果的に防止することができ、装飾性（美的外観）を特に優れたものとすることができる。
【００１３】
また、本発明のソーラー時計用文字板では、前記偏光体は、複数の層が積層されてなるフィルムであることが好ましい。
【００１４】
これにより、ソーラー時計用文字板の光透過性を十分に高いものとしつつ、太陽電池の自色が透けて見えるのをより効果的に防止することができ、装飾性（美的外観）を特に優れたものとすることができる。
【００１５】
また、本発明のソーラー時計用文字板では、前記偏光体は、主としてポリエチレンナフタレートで構成された層と、主としてナフタレンジカルボン酸とテレフタル酸とのコポリエステルで構成された層とが交互に積層されてなるフィルムであることが好ましい。
【００１６】
これにより、ソーラー時計用文字板の光透過性を十分に高いものとしつつ、太陽電池の自色が透けて見えるのをより効果的に防止することができ、装飾性（美的外観）を特に優れたものとすることができる。
【００１７】
また、本発明のソーラー時計用文字板では、前記偏光体は、主としてポリエステル系樹脂で構成されたものであることが好ましい。
【００１８】
これにより、ソーラー時計用文字板全体としての光の透過率が減少し、太陽電池の自色が透けて見えるのをより効果的に防止することができる。また、基材として白色のものを用いた場合に、ソーラー時計用文字板全体としての白色度を向上させることができる。
【００１９】
また、本発明のソーラー時計用文字板では、前記拡散層は、粘着性、接着性を有する材料で構成されたものであることが好ましい。
【００２０】
これにより、基材と偏光体との密着性を向上させることができ、その結果、ソーラー時計用文字板の耐衝撃性等を向上させることができ、実用品、装飾品としてのソーラー時計用文字板の信頼性を特に優れたものとすることができる。
【００２１】
また、本発明のソーラー時計用文字板では、前記拡散層は、主としてアクリル系粘着剤で構成されたものであることが好ましい。
【００２２】
これにより、ソーラー時計用文字板全体としての光の透過性、美的外観等を十分に保持しつつ、基材と偏光体との密着性を特に優れたものとすることができる。
【００２３】
また、本発明のソーラー時計用文字板では、前記基材は、主として、ポリカーボネートおよび／またはアクリロニトリル−ブタジエン−スチレン共重合体で構成されたものであることが好ましい。
【００２４】
これにより、例えば、拡散層との密着性を特に優れたものとすることができる。また、ソーラー時計用文字板全体としての強度を特に優れたものとすることができるとともに、ソーラー時計用文字板（基板）の製造時における成形の自由度が増す（成形のし易さが向上する）。また、基材の表面に好適に印刷層を形成することもできる。
【００２５】
また、本発明のソーラー時計用文字板では、前記基材が設けられている面側から前記偏光体が設けられている面側への、可視光領域の光の透過率が、２０％以上であることが好ましい。
【００２６】
これにより、ソーラー時計用文字板の（ソーラー時計用文字板を備えた時計全体としての）装飾性（美的外観）を十分に優れたものとしつつ、ソーラー時計用文字板に入射した光を、太陽電池にもより効率良く入射させることができる。
【００２７】
また、本発明のソーラー時計用文字板では、白色の外観を呈することが好ましい。
【００２８】
これにより、ソーラー時計用文字板の装飾性（特に、高級感）を特に優れたものとすることができる。
【００２９】
また、本発明のソーラー時計用文字板は、腕時計用文字板であることが好ましい。
【００３０】
腕時計は、一般に、使用される環境の条件が一定ではなく、様々な環境下において優れた装飾性、実用性が求められるものである。そして、特に、ソーラー腕時計に用いられる腕時計用文字板（ソーラー腕時計用文字板）は、各種ソーラー時計用文字板の中でも、優れた装飾性が求められるものであるとともに、優れた光透過性が求められるものである。したがって、本発明は、各種時計用文字板（ソーラー時計用文字板）の中でも、特に、腕時計用文字板に好適に適用することができる。
【００３１】
また、本発明は、太陽電池と、
光透過性を有する材料で構成された基材と、
前記基材の、前記太陽電池と対向する面側に設けられ、入射した光を偏光させる機能を有する偏光体と、
入射した光を拡散する機能を有する拡散剤を含む材料で構成され、前記基材と前記偏光体との間に配された拡散層とを有することを特徴とする時計に関する。
【００３２】
これにより、十分な光量の外光を太陽電池に供給することができ、かつ、装飾性に優れた時計（ソーラー時計）を提供することができる。
【００３３】
また、本発明の時計は、本発明のソーラー時計用文字板を備えたことを特徴とする。
【００３４】
これにより、十分な光量の外光を太陽電池に供給することができ、かつ、装飾性に優れた時計（ソーラー時計）を提供することができる。
【図面の簡単な説明】
【００３５】
【図１】第１図は、本発明のソーラー時計用文字板の好適な実施形態を示す断面図である。
【図２】第２図は、本発明において使用することができる、複数の層を積層して形成された偏光体の好適な実施形態を示す概略構成図である。
【図３】第３図は、本発明の腕時計（携帯時計）の好適な実施形態を示す部分断面図である。
【発明を実施するための最良の形態】
【００３６】
以下、本発明の好適な実施形態について、添付図面を参照しつつ説明する。【００３７】
まず、本発明のソーラー時計用文字板の好適な実施形態について説明する。【００３８】
図１は、本発明のソーラー時計用文字板の好適な実施形態を示す断面図、図２は、複数の層が積層されてなる偏光体の好適な実施形態を示す概略構成図である。【００３９】
ソーラー時計用文字板１は、太陽電池９を備えたソーラー時計に用いられるものである。【００４０】
図１に示すように、本実施形態のソーラー時計用文字板１は、基材１１と、基材１１の太陽電池９と対向する面側に設けられた偏光体１３と、基材１１と偏光体１３との間に配された拡散層（拡散体）１２とを有する。【００４１】
このように、本発明では、拡散層と偏光体とを有することにより、ソーラー時計用文字板の光透過性を十分に高いものとしつつ、太陽電池の自色が透けて見えるのを効果的に防止することができ、装飾性（美的外観）を特に優れたものとすることができる。【００４２】
以下、基材１１、拡散層１２および偏光体１３について詳細に説明する。【００４３】
［基材］
基材１１は、光透過性を有する材料で構成されたものである。【００４４】
基材１１の構成材料としては、例えば、各種プラスチック、各種ガラス、各種セラミックス等を用いることができるが、基材１１はプラスチック（特に、耐熱性プラスチック）で構成されたものであるのが好ましい。これにより、例えば、一般に、比較的軽量で携帯しやすいソーラー時計用文字板１を提供することができる。また、例えば、比較的容易に、所望の形状に成形することができる。また、非金属材料であるため、電波時計用文字板にも好適に適用することができる。【００４５】
基材１１を構成するプラスチック材料としては、各種熱可塑性樹脂、各種熱硬化性樹脂等が挙げられ、例えば、ポリエチレン、ポリプロピレン、エチレン−プロピレン共重合体、エチレン−酢酸ビニル共重合体（ＥＶＡ）等のポリオレフィン、環状ポリオレフィン、変性ポリオレフィン、ポリ塩化ビニル、ポリ塩化ビニリデン、ポリスチレン、ポリアミド（例：ナイロン６、ナイロン４６、ナイロン６６、ナイロン６１０、ナイロン６１２、ナイロン１１、ナイロン１２、ナイロン６−１２、ナイロン６−６６）、ポリイミド、ポリアミドイミド、ポリカーボネート（ＰＣ）、ポリ−（４−メチルペンテン−１）、アイオノマー、アクリル系樹脂、ポリメチルメタクリレート、アクリロニトリル−ブタジエン−スチレン共重合体（ＡＢＳ樹脂）、アクリロニトリル−スチレン共重合体（ＡＳ樹脂）、ブタジエン−スチレン共重合体、ポリオキシメチレン、ポリビニルアルコール（ＰＶＡ）、エチレン−ビニルアルコール共重合体（ＥＶＯＨ）、ポリエチレンテレフタレート（ＰＥＴ）、ポリブチレンテレフタレート（ＰＢＴ）、ポリシクロヘキサンテレフタレート（ＰＣＴ）等のポリエステル、ポリエーテル、ポリエーテルケトン（ＰＥＫ）、ポリエーテルエーテルケトン（ＰＥＥＫ）、ポリエーテルイミド、ポリアセタール（ＰＯＭ）、ポリフェニレンオキシド、変性ポリフェニレンオキシド、ポリサルフォン、ポリエーテルサルフォン、ポリフェニレンサルファイド、ポリアリレート、芳香族ポリエステル（液晶ポリマー）、ポリテトラフルオロエチレン、ポリフッ化ビニリデン、その他フッ素系樹脂、スチレン系、ポリオレフィン系、ポリ塩化ビニル系、ポリウレタン系、ポリエステル系、ポリアミド系、ポリブタジエン系、トランスポリイソプレン系、フッ素ゴム系、塩素化ポリエチレン系等の各種熱可塑性エラストマー、エポキシ樹脂、フェノール樹脂、ユリア樹脂、メラミン樹脂、不飽和ポリエステル、シリコーン系樹脂、ウレタン系樹脂、ポリパラキシリレン（poly-para-xylylene）、ポリモノクロロパラキシリレン（poly-monochloro-para-xylylene）、ポリジクロロパラキシリレン（poly-dichloro-para-xylylene）、ポリモノフルオロパラキシリレン（poly-monofluoro-para-xylylene）、ポリモノエチルパラキシリレン（poly-monoethyl-para-xylylene）等のポリパラキシリレン樹脂等、またはこれらを主とする共重合体、ブレンド体、ポリマーアロイ等が挙げられ、これらのうちの１種または２種以上を組み合わせて（例えば、ブレンド樹脂、ポリマーアロイ、積層体等として）用いることができる。特に、基材１１は、主として、ポリカーボネートおよび／またはアクリロニトリル−ブタジエン−スチレン共重合体で構成されたものであるのが好ましい。これにより、例えば、後述する拡散層１２との密着性を特に優れたものとすることができる。また、ソーラー時計用文字板１全体としての強度を特に優れたものとすることができるとともに、ソーラー時計用文字板１（基材１１）の製造時における成形の自由度が増す（成形のし易さが向上する）。また、基材１１の表面に好適に印刷層を形成することもできる。【００４６】
基材１１は、各部位でその組成が実質的に均一な組成を有するものであってもよいし、部位によって組成の異なるものであってもよい。例えば、基材１１は、基部と、該基部上に設けられた着色層等のコート層とを有するものであってもよい。このような場合、コート層は、例えば、各種塗装法、印刷法、湿式めっき法、乾式めっき法等により形成されたものであってもよい。【００４７】
また、基材１１の形状、大きさは、特に限定されず、通常、ソーラー時計用文字板１の形状、大きさに基づいて決定される。なお、図示の構成では、基材１１（ソーラー時計用文字板１）は、平板状をなすものであるが、例えば、湾曲板状等をなすものであってもよい。【００４８】
基材１１は、光透過性（太陽電池９の駆動、蓄電に利用可能な波長の光についての透過性）を有するものであれば、その色は特に限定されない。基材１１が白色のものである場合、ソーラー時計用文字板１の美的外観（特に、時計１００に適用した際の美的外観）を特に優れたものとすることができ、ソーラー時計用文字板１、時計１００をより優れた高級感を備えたものとすることができる。また、基材１１が実質的に透明のもの（より具体的には、可視光領域の光の透過率が９０％以上のもの）である場合、ソーラー時計用文字板１としての光の透過率をより高くすることができ、太陽電池９の小型化等にも寄与することができる。【００４９】
基材１１の平均厚さは、特に限定されないが、２００〜７００μｍであるのが好ましく、３００〜６００μｍであるのがより好ましい。基材１１の平均厚さが前記範囲内の値であると、ソーラー時計用文字板１の光透過性を十分に高いものとしつつ、太陽電池９の自色が透けて見えるのをより効果的に防止することができ、装飾性（美的外観）を特に優れたものとすることができる。【００５０】
なお、図１中には示していないが、基材１１の外表面側（太陽電池９に対向する面とは反対の面側）には、時刻目盛りや装飾文字、マーク等が設けられている。【００５１】
［拡散層］
拡散層１２は、入射した光を拡散する機能を有する拡散剤を含む材料で構成されている。これにより、上述した基材１１側から入射した光（外光）を、後述する偏光体１３側に出射しつつ、入射した光の一部を基材１１側にも散乱させることができる。また、後述する偏光体１３側から入射した光についても、基材１１側に散乱させつつ、出射することができる。その結果、基材１１側から入射した光（外光）を、偏光体１３側（太陽電池９側）に出射しつつ、ソーラー時計用文字板１を介して、太陽電池９が透けて見えてしまうのを効果的に防止することができる。したがって、太陽電池９の駆動、蓄電に必要な光量の光を太陽電池９側に出射しつつ、ソーラー時計用文字板１の美的外観（特に、時計１００に適用した際の美的外観）を特に優れたものとすることができる。特に、ソーラー時計用文字板１では、拡散層１２において光が基材１１側に出射（散乱）されるため、ソーラー時計用文字板１としての外観は、白色度のより高いものとなり、高級感を有するものとなる。【００５２】
拡散層１２を構成する拡散剤としては、光を拡散する機能を有するものであればいかなるものを用いてもよい。【００５３】
また、拡散剤は、例えば、粒状（粉末状）、鱗片状、針状等、いかなる形状のものであってもよく、また、不定形のものであってもよい。また、拡散層１２は、実質的に、拡散剤のみで構成されるものであってもよい。【００５４】
また、拡散剤の構成材料として、例えば、シリカ、ガラス、樹脂等が挙げられる。【００５５】
また、拡散層１２は、粘着性、接着性を有する材料で構成されたものであるのが好ましい。これにより、基材１１と偏光体１３との密着性を向上させることができ、その結果、ソーラー時計用文字板１の耐衝撃性等を向上させることができ、実用品、装飾品としてのソーラー時計用文字板１の信頼性を特に優れたものとすることができる。【００５６】
上記のような粘着性、接着性を有する材料（粘着・接着材料）としては、例えば、粘着剤、接着剤等に用いられる材料を用いることができるが、粘着・接着材料としては、アクリル系樹脂を用いるのが好ましい。これにより、ソーラー時計用文字板１全体としての光の透過性、美的外観等を十分に保持しつつ、基材１１と偏光体１３との密着性を特に優れたものとすることができる。【００５７】
拡散層１２が上記のような粘着・接着材料を含むものである場合、拡散層１２は、主として粘着・接着材料で構成されたものであるのが好ましい。これにより、上述したような効果をさらに顕著なものとすることができる。【００５８】
［偏光体］
偏光体１３は、入射した光を偏光させる機能を有するものである。【００５９】
このような偏光体１３を、基材１１よりも太陽電池９側に設置することにより（特に、太陽電池９に近い側から偏光体１３、拡散層１２、基材１１をこの順に設置することにより）、ソーラー時計用文字板１としての光透過性を十分に高いものとしつつ、太陽電池９の自色が透けて見えるのを効果的に防止することができ、ソーラー時計用文字板１の装飾性（美的外観）を特に優れたものとすることができることを本発明者は見出した。【００６０】
偏光体１３は、入射した光を偏光させる機能を有するものであれば、いかなるものであってもよいが、所定方向に振動する第１の光を透過し、かつ、振動方向が前記第１の光の振動方向に対して垂直な第２の光を反射する機能を有する、反射型偏光体であるのが好ましい。これにより、ソーラー時計用文字板１の光透過性を十分に高いものとしつつ、太陽電池９の自色が透けて見えるのを効果的に防止することができ、装飾性（美的外観）を特に優れたものとすることができる。【００６１】
偏光体（反射型偏光体）１３は、いかなる材料で構成されたものであってもよいが、例えば、主としてポリエステル系樹脂で構成されたものとすることができる。これにより、ソーラー時計用文字板１全体としての光の透過率が減少し、太陽電池の自色が透けて見えるのをより効果的に防止することができる。また、基材１１として白色のものを用いた場合に、ソーラー時計用文字板１全体としての白色度をさらに向上させることができる。【００６２】
また、偏光体（反射型偏光体）１３は、複数の層が積層されてなるフィルム（積層体）であるのが好ましい。これにより、ソーラー時計用文字板１の光透過性を十分に高いものとしつつ、太陽電池９の自色が透けて見えるのをより効果的に防止することができ、装飾性（美的外観）を特に優れたものとすることができる。【００６３】
図２に、複数の層が積層されてなる偏光体１３の好適な実施形態を示す。【００６４】
図２に示すように、積層体としての偏光体１３は、異なる２種の層、すなわち、偏光性フィルム層（Ａ層）１３１と、偏光性フィルム層（Ｂ層）１３２とが交互に複数層積層された構造を有している。この偏光体１３においては、Ａ層１３１のＸ軸方向の屈折率（ｎＡＸ）とＢ層１３２のＸ軸方向の屈折率（ｎＢＸ）とは異なるが、Ａ層１３１のＸ軸方向の屈折率（ｎＡＹ）とＢ層１３２のＸ軸方向の屈折率（ｎＢＹ）とは実質的に等しい。この偏光体１３に入射する光のうちＹ軸方向の直線偏光の光は、Ａ層１３１とＢ層１３２とで屈折率が実質的に等しいので、偏光体１３を透過する。一方、この偏光体１３のＡ層１３１におけるＺ軸方向における平均厚さをｔＡ、Ｂ層１３２における平均厚さをｔＢとしたとき、下記式（I）を満足することにより、波長λの光であって偏光体１３に入射した光のうちＸ軸方向の直線偏光の光は、偏光体１３によって好適に反射されることとなる。【００６５】
ｔＡ・ｎＡＸ＋ｔＢ・ｎＢＸ＝λ／２・・・（I）
そして、Ａ層１３１におけるＺ軸方向の平均厚さおよびＡ層１３２におけるＺ軸方向の平均厚さを種々変化させているので、この偏光体１３は、可視波長領域の広範囲にわたって偏光体１３に入射した光のうちＸ軸方向の直線偏光の光を反射する。【００６６】
上記のような偏光体１３により、文字板１への入射光の一部を透過して太陽電池９の蓄電のために供することができ、また入射光の一部を反射させて基材１１の下部に配置される太陽電池９の自色が透けて見えるのを効率よく防ぐことができる。【００６７】
偏光体１３が上記のような積層体で構成されるものである場合、各層（Ａ層１３１、Ｂ層１３２）は、いかなる材料で構成されたものであってもよいが、偏光体１３のＡ層１３１は、ポリエチレンナフタレートで構成されたもの（特に、ポリエチレンナフタレートで構成されたフィルムを延伸したもの）であるのが好ましく、Ｂ層１３２は、ナフタレンジカルボン酸とテレフタル酸とのコポリエステルで構成されたものであるのが好ましい。これにより、ソーラー時計用文字板１の光透過性を十分に高いものとしつつ、太陽電池９の自色が透けて見えるのをより効果的に防止することができ、ソーラー時計用文字板１の装飾性（美的外観）を特に優れたものとすることができる。なお、偏光体１３を構成する材料は、上記のようなものに限定されず、当技術分野において偏光性フィルム（偏光板）を形成するのに適するものとして知られている材料を適宜選択して使用することができる。【００６８】
また、偏光体１３が上記のような積層体で構成されるものである場合、積層する層の数は、限定はないが、２〜２０が好ましく、６〜１２がより好ましく、８〜１０がさらに好ましい。これにより、上述した効果はさらに顕著なものとなる。【００６９】
偏光体１３の平均厚さは、特に限定されないが、２０〜３００μｍであるのが好ましく、１００〜２００μｍであるのがより好ましい。偏光体１３の平均厚さが前記範囲内の値であると、ソーラー時計用文字板１の光透過性を十分に高いものとしつつ、太陽電池９の自色が透けて見えるのをより効果的に防止することができ、装飾性（美的外観）を特に優れたものとすることができる。【００７０】
［ソーラー時計用文字板］
上記のようなソーラー時計用文字板１は、時計（ソーラー時計）においては、太陽電池９の上（太陽電池９の受光面側）に配置して使用される。【００７１】
ソーラー時計用文字板１は、基材１１が設けられている面側から偏光体１３が設けられている面側への可視光領域の光の透過率が、２０％以上であるのが好ましく、２１〜８０％であるのがより好ましく、２２〜７０％であるのがさらに好ましい。これにより、ソーラー時計用文字板１の（ソーラー時計用文字板１を備えた時計全体としての）装飾性（美的外観）を十分に優れたものとしつつ、ソーラー時計用文字板１に入射した光を、太陽電池９にもより効率良く入射させることができる。これに対し、光の透過率が低すぎると、太陽電池９の駆動、蓄電するのに十分な光量の光を、太陽電池９に入射させるのが困難になる場合が有る。また、光の透過率が高すぎると、ソーラー時計用文字板１の（ソーラー時計用文字板１を備えた時計全体としての）装飾性（美的外観）を十分に優れたものとするのが困難になる可能性がある。【００７２】
ソーラー時計用文字板１は、いかなる色調を呈するものであってもよいが、白色の外観を呈するものであるのが好ましい。これにより、ソーラー時計用文字板１の装飾性（特に、高級感）を特に優れたものとすることができる。【００７３】
次に、上述したソーラー時計用文字板１の製造方法の一例について説明する。【００７４】
まず、基材１１の裏面（非印刷面）上に、塗布法等により、拡散層１２を形成する。基材１１および拡散層１２は、それぞれ前述したような材料で構成されたものとすることができる。次いで、基材１１上に形成した拡散層１２の表面に偏光体１３を貼り合せる。拡散層１２が上述したような粘着・接着材料で構成されるものである場合、基材１１と偏光体１３との貼り合わせをより好適に行うことができる。偏光体１３としては、前述したようなものを使用することができる。このように形成された構造体を、例えば、加熱下におくことにより（より具体的には、拡散層１２の構成材料を硬化させること等により）、偏光体１３と基材１１との密着性をより強固なものとすることができる。【００７５】
以上説明したようなソーラー時計用文字板は、ソーラー時計であれば、いかなる時計に適用されるものであってもよいが、腕時計に適用されるもの（腕時計用文字板）であるのが好ましい。腕時計は、一般に、使用される環境の条件が一定ではなく、様々な環境下において優れた装飾性、実用性が求められるものである。そして、特に、ソーラー腕時計に用いられる腕時計用文字板（ソーラー腕時計用文字板）は、各種ソーラー時計用文字板の中でも、優れた装飾性が求められるものであるとともに、優れた光透過性が求められるものである。したがって、本発明は、各種時計用文字板（ソーラー時計用文字板）の中でも、特に、腕時計用文字板に好適に適用することができる。【００７６】
次に、上述したような本発明のソーラー時計用文字板を備えた本発明の時計について説明する。【００７７】
本発明の時計は、上述したような本発明のソーラー時計用文字板を有するものである。上述したように、本発明のソーラー時計用文字板は、光透過性および装飾性（美的外観）に優れたものである。このため、このようなソーラー時計用文字板を備えた本発明の時計は、ソーラー時計としての求められる要件を十分に満足することができる。なお、本発明の時計を構成する前記時計用部品以外の部品としては、公知のものを用いることができるが、以下に、本発明の時計の構成の一例について説明する。【００７８】
図３は、本発明の時計（腕時計）の好適な実施形態を示す部分断面図である。【００７９】
図３に示すように、本実施形態の腕時計（携帯時計）１００は、胴（ケース）２２と、裏蓋２３と、ベゼル（縁）２４と、ガラス板（カバーガラス）２５とを備えている。また、ケース２２内には、前述したようなソーラー時計用文字板１と、太陽電池９と、ムーブメント２１とが収納されており、さらに、図示しない針（指針）等が収納されている。【００８０】
ガラス板２５は、通常、透明性の高い透明ガラスやサファイア等で構成されている。これにより、ソーラー時計用文字板１の審美性を十分に発揮させることができるとともに、太陽電池９に十分な光量の光を入射させることができる。【００８１】
ムーブメント２１は、太陽電池９の起電力を利用して、指針を駆動する。【００８２】
図３中では省略しているが、ムーブメント２１内には、例えば、太陽電池９の起電力を貯蔵する電気二重層コンデンサー、リチウムイオン二次電池や、時間基準源として水晶振動子や、水晶振動子の発振周波数をもとに時計を駆動する駆動パルスを発生する半導体集積回路や、この駆動パルスを受けて１秒毎に指針を駆動するステップモーターや、ステップモーターの動きを指針に伝達する輪列機構等を備えている。【００８３】
太陽電池９は、光エネルギーを電気エネルギーに変換する機能を有する。そして、太陽電池９で変換された電気エネルギーは、ムーブメントの駆動等に利用される。【００８４】
太陽電池９は、例えば、非単結晶シリコン薄膜にｐ型の不純物とｎ型の不純物とが選択的に導入され、さらにｐ型の非単結晶シリコン薄膜とｎ型の非単結晶シリコン薄膜との間に不純物濃度の低いｉ型の非単結晶シリコン薄膜を備えたｐｉｎ構造を有している。【００８５】
胴２２には巻真パイプ２６が嵌入・固定され、この巻真パイプ２６内にはりゅうず２７の軸部２７１が回転可能に挿入されている。【００８６】
胴２２とベゼル２４とは、プラスチックパッキン２８により固定され、ベゼル２４とガラス板２５とはプラスチックパッキン２９により固定されている。【００８７】
また、胴２２に対し裏蓋２３が嵌合（または螺合）されており、これらの接合部（シール部）５０には、リング状のゴムパッキン（裏蓋パッキン）６０が圧縮状態で介挿されている。この構成によりシール部５０が液密に封止され、防水機能が得られる。【００８８】
りゅうず２７の軸部２７１の途中の外周には溝２７２が形成され、この溝２７２内にはリング状のゴムパッキン（りゅうずパッキン）３０が嵌合されている。ゴムパッキン３０は巻真パイプ２６の内周面に密着し、該内周面と溝２７２の内面との間で圧縮される。この構成により、りゅうず２７と巻真パイプ２６との間が液密に封止され防水機能が得られる。なお、りゅうず２７を回転操作したとき、ゴムパッキン３０は軸部２７１と共に回転し、巻真パイプ２６の内周面に密着しながら周方向に摺動する。【００８９】
なお、上記の説明では、時計の一例として、腕時計（携帯時計）を挙げて説明したが、本発明は、腕時計以外の携帯時計、置時計、掛け時計等の他の種類の時計にも同様に適用することができる。【００９０】
以上、本発明のソーラー時計用文字板およびこれを備えた時計の好適な実施形態について説明したが、本発明は、これらに限定されるものではない。【００９１】
例えば、前述した実施形態では、基材１１と拡散層１２とが接触し、拡散層１２と偏光体１３とが接触するように配置されているものとして説明したが、これらは接触するものでなくてもよい。例えば、基材１１と拡散層１２との間や、拡散層１２と偏光体１３との間に少なくとも１層の中間層が設けられていてもよい。【００９２】
また、本発明の時計は、基材と拡散層と偏光体とを備えるものであればよく、これらは互いに接合されていないものであってもよい。言い換えると、本発明の時計において、基材、拡散層、偏光体は、これらが一体化された文字板として存在していなくてもよく、例えば、基材（文字板）と、拡散層（拡散体）と、偏光体とが、それぞれ、別部材として存在していてもよい。
【実施例】
【００９３】
次に、本発明の具体的実施例について説明する。【００９４】
［ソーラー時計用文字板（腕時計用文字板）の製造］
（実施例１）
以下に示すような方法により、腕時計用文字板を製造した。【００９５】
まず、ポリカーボネートを用いて、圧縮成形により、腕時計用文字板の形状を有する基材を作製し、その後、必要箇所を切削、研磨した。得られた基材は、略円盤状をなし、直径：２７ｍｍ×厚さ：０．５ｍｍであった。【００９６】
次に、この基材を洗浄した。基材の洗浄としては、まず、アルカリ電解脱脂を３０秒間行い、次いで、アルカリ浸漬脱脂を３０秒間行った。その後、中和を１０秒間、水洗を１０秒間、純水洗浄を１０秒間行った。【００９７】
次に、基材の表面を白色塗装し、風乾後、白色塗装を施した面とは反対の面に時字（時刻目盛り等）を印刷し風乾した。【００９８】
一方、ポリエステル系樹脂で構成された偏光体（反射型偏光体）を用意した。この偏光体は、ポリエステル系樹脂で構成されたシート材を一軸方向に延伸し、直径：２７ｍｍの略円盤状となるように、打ち抜きすることにより作製した。この偏光体の平均厚さは、２０μｍであった。【００９９】
次に、拡散剤とアクリル系粘着剤（アクリル系樹脂）とを含む拡散層組成物を用いて、上記のような基材（白色塗装が施された基材）と、偏光体とを貼り合わせることにより、基材と拡散層と偏光体とが積層されてなるソーラー時計用文字板を得た。なお、基材と偏光体との張り合わせは、基材の白色塗装が施された面が拡散層と接触するように行った。また、拡散剤としては粉末状のシリカを用いた。【０１００】
（実施例２）
偏光体（反射型偏光体）として、以下に述べるような複数の層が積層されてなるフィルム（積層体）を用いた以外は、前記実施例１と同様にして、腕時計用文字板を製造した。【０１０１】
本実施例で用いた偏光体は、ポリエチレンナフタレートで構成されたシート材を一軸方向に延伸することにより得られたシート材からなる層と、ナフタレンジカルボン酸とテレフタル酸とのコポリエステルで構成されたシート材を一軸方向に延伸することにより得られたシート材からなる層とを、交互に合計８層積層することにより形成した。この偏光体の平均厚さは、１６０μｍであった。【０１０２】
（比較例１）
偏光体の代わりに、反射防止膜で構成された反射防止層を形成した以外は、前記実施例１と同様にして、腕時計用文字板を製造した。【０１０３】
（比較例２）
偏光体の代わりに、反射膜で構成された反射層を形成した以外は、前記実施例１と同様にして、腕時計用文字板を製造した。【０１０４】
（比較例３）
拡散剤を含まず実質的にアクリル系粘着剤のみで構成された材料を用いて、拡散層の代わりに粘着剤層を形成した以外は、前記実施例１と同様にして、腕時計用文字板を製造した。【０１０５】
（比較例４）
拡散剤を含まず実質的にアクリル系粘着剤のみで構成された材料を用いて、拡散層の代わりに粘着剤層を形成した以外は、前記実施例２と同様にして、腕時計用文字板を製造した。【０１０６】
［評価］
１．腕時計用文字板の光透過率評価
前記各実施例および各比較例のソーラー時計用文字板について、以下のような方法により、ソーラー時計用文字板の光透過率を評価した。【０１０７】
まず、太陽電池と各文字板とを暗室にいれた。その後、太陽電池単体でその受光面に対し、所定距離離間した蛍光灯（光源）からの光を入射させた。この際、太陽電池の発電電流をＡ［ｍＡ］とした。次に、前記太陽電池の受光面の上面に文字板を重ね合わせた状態で、前記と同様に所定距離離間した蛍光灯（光源）からの光を入射させた。この状態での、太陽電池の発電電流をＢ［ｍＡ］とした。そして、（Ｂ／Ａ）×１００で表される文字板の光透過率を算出し、以下の４段階の基準に従い、評価した。文字板の光透過率が大きいほど、ソーラー時計用文字板の光透過性は優れたものであるといえる。【０１０８】
◎：２２％以上
○：２０％以上２２％未満
△：１１％以上２０％未満
×：１１％未満
その後、前記各実施例および各比較例で製造した腕時計用文字板を用いて、図３に示すような腕時計を製造した。そして、製造された各腕時計を暗室にいれた。その後、時計の文字板側の面（ガラス板側の面）から、所定距離離間した蛍光灯（光源）からの光を入射させた。この際、光の照射強度が次第に大きくなるように照射強度を一定の速度で変化させた。その結果、本発明の時計では、比較的照射強度が小さい場合でもムーブメントが駆動した。これに対し、比較例２の時計では、比較的照射強度が大きい場合でもムーブメントの駆動が確認されなかった。【０１０９】
２．腕時計用文字板の美的外観評価
前記各実施例および各比較例のソーラー時計用文字板を備えた時計について、目視による観察を行い、これらの外観を以下の４段階の基準に従い、評価した。
◎：外観優良。
○：外観良。
△：外観やや不良。
×：外観不良。【０１１０】
これらの結果を表１にまとめて示す。【０１１１】
【表１】
2006006390.tif 000002
【０１１２】
表１から明らかなように、本発明のソーラー時計用文字板を備えた時計では、いずれも、ソーラー時計用文字板の光透過性に優れ、太陽電池の駆動、蓄電に十分な光量の光を太陽電池に供給することができるとともに、かつ、美的外観にも優れていた。【０１１３】
これに対し、比較例のソーラー時計用文字板を備えた時計（ソーラー時計用文字板）では、満足な結果が得られなかった。特に、拡散層を有していない比較例３、４では、美的外観が著しく劣っていた。
【産業上の利用可能性】
【０１１４】
本発明のソーラー時計用文字板は、太陽電池を備えたソーラー時計に用いられるソーラー時計用文字板であって、光透過性を有する材料で構成された基材と、前記基材の、前記太陽電池と対向する面側に設けられ、入射した光を偏光させる機能を有する偏光体と、入射した光を拡散する機能を有する拡散剤を含む材料で構成され、前記基材と前記偏光体との間に配された拡散層とを有することを特徴とする。そのため、光透過性および装飾性（美的外観）に優れたソーラー時計用文字板を提供することができる。また、本発明の時計は、本発明のソーラー時計用文字板を備えたことを特徴とする。このため、十分な光量の外光を太陽電池に供給することができ、かつ、装飾性に優れた時計（ソーラー時計）を提供することができる。従って、本発明のソーラー時計用文字板および時計は、産業上の利用可能性を有する。
【図１】
2006006390.tif 000003
【図２】
2006006390.tif 000004
【図３】
2006006390.tif 000005
【手続補正書】
【提出日】平成19年4月18日(2007.4.18)
【手続補正１】
【補正対象書類名】明細書
【補正対象項目名】００６４
【補正方法】変更
【補正の内容】
【００６４】
図２に示すように、積層体としての偏光体１３は、異なる２種の層、すなわち、偏光性フィルム層（Ａ層）１３１と、偏光性フィルム層（Ｂ層）１３２とが交互に複数層積層された構造を有している。この偏光体１３においては、Ａ層１３１のＸ軸方向の屈折率（ｎＡＸ）とＢ層１３２のＸ軸方向の屈折率（ｎＢＸ）とは異なるが、Ａ層１３１のＹ軸方向の屈折率（ｎＡＹ）とＢ層１３２のＹ軸方向の屈折率（ｎＢＹ）とは実質的に等しい。この偏光体１３に入射する光のうちＹ軸方向の直線偏光の光は、Ａ層１３１とＢ層１３２とで屈折率が実質的に等しいので、偏光体１３を透過する。一方、この偏光体１３のＡ層１３１におけるＺ軸方向における平均厚さをｔＡ、Ｂ層１３２における平均厚さをｔＢとしたとき、下記式（I）を満足することにより、波長λの光であって偏光体１３に入射した光のうちＸ軸方向の直線偏光の光は、偏光体１３によって好適に反射されることとなる。
【手続補正２】
【補正対象書類名】明細書
【補正対象項目名】００６５
【補正方法】変更
【補正の内容】
【００６５】
ｔＡ・ｎＡＸ＋ｔＢ・ｎＢＸ＝λ／２・・・（I）
そして、Ａ層１３１におけるＺ軸方向の平均厚さおよびＢ層１３２におけるＺ軸方向の平均厚さを種々変化させているので、この偏光体１３は、可視波長領域の広範囲にわたって偏光体１３に入射した光のうちＸ軸方向の直線偏光の光を反射する。
【手続補正３】
【補正対象書類名】図面
【補正対象項目名】図２
【補正方法】変更
【補正の内容】
【図２】
2006006390.tif 000006
【国際調査報告】
2006006390.tif 000007
2006006390.tif 000008
2006006390.tif 000009
2006006390.tif 000010